(57)【要約】【課題】印刷装置や画像表示装置等の色再現特性を確認するチャートで、ライト部の極値からシャドウ部の極値に至る全階調域にわたって不具合がなく、容易に色再現特性を確認することができる色再現特性確認用チャートの提供にある。【解決手段】複数の色チャンネルで構成され、少なくとも２つのチャンネルが折り返しを含んだ連続階調で構成され、該連続階調の変化する幾何学的方向が、前記２つのチャンネルが異なって構成されている色再現特性確認用チャートとするものである。【選択図】図１
2005159962.tif 000002
【特許請求の範囲】
【請求項１】
印刷装置や画像表示装置等の色再現特性を確認する色再現特性確認用チャートにおいて、複数の色チャンネルで構成され、少なくとも２つのチャンネルが折り返しを含んだ連続階調で構成され、該連続階調の変化する幾何学的方向が、前記２つのチャンネルで異なって構成されていることを特徴とする色再現特性確認用チャート。
【請求項２】
印刷装置や画像表示装置等の色再現特性を確認する色再現特性確認用チャートにおいて、複数の色チャンネルで構成され、少なくとも１つのチャンネルが折り返しを含んだ連続階調で構成され、それ以外のチャンネルの少なくとも１つのチャンネルが、一定調の画像で構成されていることを特徴とする色再現特性確認用チャート。
【請求項３】
上記連続階調の折り返しを１つ以上含み、その折り返しが階調の最大値で構成されていることを特徴とする請求項１または２記載の色再現特性確認用チャート。
【請求項４】
上記連続階調の折り返しを１つ以上含み、その折り返しが階調の最小値で構成されていることを特徴とする請求項１または２記載の色再現特性確認用チャート。
【請求項５】
上記連続階調の折り返しを２つ以上含み、その折り返しが階調の最大値、最小値で構成されていることを特徴とする請求項１または２記載の色再現特性確認用チャート。
【発明の詳細な説明】
【技術分野】
【０００１】
本発明は、印刷装置や画像表示装置等の調子再現性を含めた色再現特性を確認するために用いる色再現特性確認チャートに関するものである。
【背景技術】
【０００２】
従来、例えばカラープリンタ等印刷装置や画像表示装置等の調子再現性を含む色再現特性を確認するチャートとして、Ｃ（シアン）、Ｍ（マゼンタ）、Ｙ（イエロー）及びＫ（ブラック）の４色毎に、ガンマーカーブを少しずつ（５段階に）変化させた０〜１００％までのグラデーションがプリントされたテストチャートがある（例えば、特許文献１参照。）。
【特許文献１】特開２００２−２３７９６０号公報（第３頁、図２）
【発明の開示】
【発明が解決しようとする課題】
【０００３】
しかしながら、上記のようなグラデーションがプリントされたテストチャートにおいては、各色のグラデーションテストチャートとも一方向の単純増加で構成されているため、確認できる色再現特性は中間調での限られた部分でしか確認することができないという問題点があった。
【０００４】
また、カラーマネージメント技術を用いた色変換では、ＬＵＴ方式を用いて対応色を検索しているため、色空間の連続性を全く無視した色変換手法を行うもので、このような状況では、色変換を行う際に、どのような色再現特性をしているかと共に、調子再現性をも確認することが重要となってくる。従って従来のチャートでは、色版の組成が変化する部分、例えば、１次色から２次色に変化するような部分では、カラーマネージメント特有の処理で発生するトーンジャンプやトーンの潰れの確認は、単調なグラデーションを用いているため、２色の版のグラデーション方向を直行させたチャートでしかチェックされていなかった。
【０００５】
そのため、このようなチャートでは、１次色から２次色に、あるいは２次色から１次色に変化する部分はチャートの縁部分に存在することとなり、この部分における不具合を確認するには非常に困難なものであった。
【０００６】
本発明は、かかる従来のチャートの不具合点等問題点を解決するものであり、その課題とするところは、印刷装置や画像表示装置等の色再現特性を確認する色再現特性確認用チャートにおいて、ライト部からシャドウ部に至る全階調域にわたって不具合がなく出力することにより、印刷装置や画像表示装置等の色再現特性を容易に確認することができる色再現特性確認用チャートを提供することにある。
【課題を解決するための手段】
【０００７】
本発明に於いて上記課題を達成するために、まず請求項１の発明では、印刷装置や画像表示装置等の色再現特性を確認する色再現特性確認用チャートにおいて、複数の色チャンネルで構成され、少なくとも２つのチャンネルが折り返しを含んだ連続階調で構成され、該連続階調の変化する幾何学的方向が、前記２つのチャンネルで異なって構成されていることを特徴とする色再現特性確認用チャートとしたものである。
【０００８】
また、請求項２の発明では、印刷装置や画像表示装置等の色再現特性を確認する色再現
特性確認用チャートにおいて、複数の色チャンネルで構成され、少なくとも１つのチャンネルが折り返しを含んだ連続階調で構成され、それ以外のチャンネルの少なくとも１つのチャンネルが、一定階調の画像で構成されていることを特徴とする色再現特性確認用チャートとしたものである。
【０００９】
また、請求項３の発明では、上記連続階調の折り返しを１つ以上含み、その折り返しが階調の最大値で構成されていることを特徴とする請求項１または２記載の色再現特性確認用チャートとしたものである。
【００１０】
また、請求項４の発明では、上記連続階調の折り返しを１つ以上含み、その折り返しが階調の最小値で構成されていることを特徴とする請求項１または２記載の色再現特性確認用チャートとしたものである。
【００１１】
さらにまた、請求項５の発明では、上記連続階調の折り返しを２つ以上含み、その折り返しが階調の最大値、最小値で構成されていることを特徴とする請求項１または２記載の色再現特性確認用チャートとしたものである。
【発明の効果】
【００１２】
本発明は以上の構成であるから、下記に示す如き効果がある。
【００１３】
即ち、上記請求項１に係る発明によれば、印刷装置や画像表示装置等の色再現特性を確認する色再現特性確認用チャートにおいて、複数の色チャンネルで構成され、少なくとも２つのチャンネルが折り返しを含んだ連続階調で構成され、該連続階調の変化する幾何学的方向が、前記２つのチャンネルが異なって構成されている色再現特性確認チャートとしたので、全階調域にわたって不具合等がなく出力することにより、印刷装置や画像表示装置等の色再現特性を容易に確認することができる効果がある。
【００１４】
また、上記請求項２に係る発明によれば、印刷装置や画像表示装置等の色再現特性を確認する色再現特性確認用チャートにおいて、複数の色チャンネルで構成され、少なくとも１つのチャンネルが折り返しを含んだ連続階調で構成され、それ以外のチャンネルの少なくとも１つのチャンネルが、一定階調の画像で構成されている色再現特性確認用チャートとしたので、全階調域にわたって不具合等がなく出力することにより、印刷装置や画像表示装置等の色再現特性を容易に確認することができる効果がある。
【００１５】
また、上記請求項３に係る発明によれば、上記連続階調の折り返しを１つ以上含み、その折り返しが階調の最大値で構成されている請求項１または２記載の色再現特性確認用チャートとしたので、全階調域にわたって不具合等がなく出力することにより、印刷装置や画像表示装置等の色再現特性を容易に確認することができる効果がある。
【００１６】
また、上記請求項４に係る発明によれば、上記連続階調の折り返しを１つ以上含み、その折り返しが階調の最小値で構成されている請求項１または２記載の色再現特性確認用チャートとしたので、全階調域にわたって不具合等がなく出力することにより、印刷装置や画像表示装置等の色再現特性を容易に確認することができる効果がある。
【００１７】
さらにまた、上記請求項５に係る発明によれば、上記連続階調の折り返しを２つ以上含み、その折り返しが階調の最大値、最小値で構成されている請求項１または２記載の色再現特性確認用チャートとしたので、全階調域にわたって不具合等がなく出力することにより、印刷装置や画像表示装置等の色再現特性をより容易に確認することができる効果がある。
【００１８】
従って本発明は、プリンター等印刷装置や画像表示装置等の色再現特性を確認する色再現特性確認チャートの如き用途において、優れた実用上の効果を発揮する。
【発明を実施するための最良の形態】
【００１９】
以下本発明を実施するための最良の形態を図面を用いながら詳細に説明する。
【００２０】
図１は、チャート構成画像−１を示すもので、この画像は、横方向に対して５０％から５０％までの１周期の三角波の連続階調で構成され、折り返しが連続階調の最大値、最小値の２つの極値を含んだ連続階調で構成されている。また図２は、チャート構成画像−２を示すもので、この画像は、図１に示すチャート構成画像−１を９０度回転させた画像で構成されている。さらに図３は、チャート構成画像−３を示すもので、この画像は、画像位置に関わらず入力信号値が一定である画像で構成されている。
【００２１】
まず、本発明の色再現特性確認用チャートで用いる基本的なチャート構成画像について以下に説明する。
【００２２】
例えば、プリンタの色再現特性を確認する際に、様々な色を組み合わせたチャートを出力しなければならない。ここでは、本発明の色再現特性確認チャートを活用するに当たっての具体的な３つのケースについて説明する。
【００２３】
＜  ケース−１＞
Ｃ（シアン）とＭ（マゼンタ）で構成される２次色での色再現特性を把握したい場合を考える。このＣ（シアン）に該当するチャンネルの画像は、図１に示すチャート構成画像−１で構成されている。また、Ｍ（マゼンタ）に該当するチャンネルの画像は、図２に示すチャート構成画像−２で構成されている。
【００２４】
上記の２つのチャンネルで構成されたチャートを出力することによって、CyanとMagentaの２次色での色再現特性を把握することができる。
【００２５】
＜  ケース−２＞
Ｃ（シアン）−Ｍ（マゼンタ）同量２次色とＹ（イエロー）で構成される３次色での色再現特性を把握したい場合を考える。このＣ（シアン）とＭ（マゼンタ）に該当するチャンネルの画像は、図１に示すチャート構成画像−１で構成されている。また、Ｙ（イエロー）に該当するチャンネルの画像は、図２に示すチャート構成画像−２で構成されている。
【００２６】
上記の３つのチャンネルで構成されたチャートを出力することによって、Ｃ（シアン）−Ｍ（マゼンタ）同量２次色とＹ（イエロー）で構成される３次色の色再現特性を把握することができる。
【００２７】
＜  ケース−３＞
Ｃ（シアン）とＭ（マゼンタ）で構成される２次色平面にＹ（イエロー）の均一画像を加えて構成された３次色の色再現特性を把握したい場合を考える。このＣ（シアン）に該当するチャンネルの画像は、図１に示すチャート構成画像−１で構成されている。また、Ｍ（マゼンタ）に該当するチャンネルの画像は、図２に示すチャート構成画像−２で構成されている。さらに、Ｙ（イエロー）に該当するチャンネルの画像は、図３に示すチャート構成画像−３で構成されている。
【００２８】
上記の３つのチャンネルで構成されたチャートを出力することによって、Ｃ（シアン）とＭ（マゼンタ）で構成される２次色平面にＹ（イエロー）の均一画像を加えて構成され
た３次色の色再現特性を把握することができる。
【００２９】
以上より上記ケース−１で構成されたチャートは、画像中央部に全てのＣ（シアン）とＭ（マゼンタ）の２次色で再現されるようになり、従来のチャートのような通常のグラデーション画像では確認できない１次色から２次色に変化する部分に関しても、極値で階調を折り返しているために、極値付近の色再現特性を容易に確認することができる。
【００３０】
また、上記ケース−２で構成されたチャートは、画像中央部に全てのＣ（シアン）−Ｍ（マゼンタ）同量２次色とＹ（イエロー）で再現されるようになり、従来のチャートのような通常のグラデーション画像では確認できない１次色から３次色もしくは、２次色から３次色に変化する部分に関しても、極値で階調を折り返しているために、極値付近の色再現特性を容易に確認することができる。
【００３１】
さらにまた、上記ケース−３で構成されたチャートは、画像中央部に全てのＣ（シアン）とＭ（マゼンタ）の２次色とＹ（イエロー）で再現されるようになり、従来のチャートのような通常のグラデーション画像では確認できない１次色から３次色もしくは、２次色から３次色に変化する部分に関しても、極値で階調を折り返しているために、極値付近の色再現特性を容易に確認することができる。
【図面の簡単な説明】
【００３２】
【図１】本発明の色再現特性確認チャートの構成画像の一事例を示す説明図である。
【図２】本発明の色再現特性確認チャートの構成画像の他の一事例を示す説明図である。
【図３】本発明の色再現特性確認チャートの構成画像の他の一事例を示す説明図である。
【図１】
2005159962.tif 000003
【図２】
2005159962.tif 000004
【図３】
2005159962.tif 000005